(57)【要約】【課題】フェンス面に多数の印象的な模様を簡単に分散配設し、その模様の多様化を容易にし、軽量化を可能にする。【解決手段】フェンス面に、隣接する２本の屈曲箇所６付き縦線材３と隣接する２本の屈曲箇所７付き横線材５とが井型状に交差する井型交差箇所を多数分散配設し、更にそれ等の井型交差箇所から選択した多数の各井型交差箇所に、４本の各縦、横線材３、５に設けた屈曲箇所６、７を少なくとも一箇所ずつ配置し、その少なくとも４屈曲箇所６、７の線部を含む模様を形成して、多数の模様１０を分散配設する。【選択図】図１
2006274532.tif 000002
【特許請求の範囲】
【請求項１】
多数の縦線材と横線材とを網の目状に組み合せ、平面状に配置して結合したメッシュフェンスであって、上記縦線材の少なくとも一部として、線材の長さ方向に沿って多数の屈曲箇所を分散配設した屈曲箇所付き縦線材を多数用い、又横線材の少なくとも一部として、同様の屈曲箇所付き横線材を多数用いて、フェンス面に、隣接する２本の屈曲箇所付き縦線材と隣接する２本の屈曲箇所付き横線材とが井型状に交差する井型交差箇所を多数分散配設し、更にそれ等の井型交差箇所から選択した多数の各井型交差箇所に、その井型交差箇所を形成する４本の各縦、横線材に設けた屈曲箇所を少なくとも一箇所ずつ選んで配置して、少なくとも４屈曲箇所を含む模様を形成し、多数の模様を分散配設することを特徴とする多模様メッシュフェンス。
【請求項２】
多数の屈曲箇所付き縦線材と屈曲箇所付き横線材とを網の目状に組み合せ、平面状に配置する際、模様を変えるために、それ等の屈曲箇所付き縦、横線材から縦線材を選択する場合には、その縦線材は縦方向に移動し、又横線材を選択する場合には、その横線材は横方向に移動して、隣接する２本の屈曲箇所付き縦線材と隣接する２本の屈曲箇所付き横線材との少なくとも４屈曲箇所を有する井型交差箇所の少なくとも１屈曲箇所の位置を移動することを特徴とする請求項１記載の多模様メッシュフェンスの製造方法。
【発明の詳細な説明】
【技術分野】
【０００１】
本発明は敷地の境界等に設置するメッシュフェンス並びにその製造方法に関する。
【背景技術】
【０００２】
従来、敷地の境界等にファッショナブルなフェンスとして、鉄筋等の線材を網の目状に組み合せて結合し塗装したメッシュフェンスが、フェンス本体部に使用されている。このようなメッシュフェンスには、一般に多数の縦方向に配置した直線材と横方向に配置した直線材との各交差箇所を、いずれも直交させて格子状の網の目状に組み合せ、長方形平面状に配置して、各交点を結合したメッシュの上下端に、ビーム部を夫々設けて用いている。なお、メッシュフェンスの縦線材はすべて直線にするが、横線材は直線とせず、いずれにも長さ方向に沿って屈曲箇所を繰り返して多数設けているものがある。
【特許文献１】特開２００３−２５３９１８
【発明の開示】
【発明が解決しようとする課題】
【０００３】
しかしながら、このようなメッシュフェンスは横線材に屈曲箇所を多数配設したものでも、フェンス面の模様は単調であって、設置者が特に選び、又見る人が強い印象を受けるような個性的な模様が多数分散配設されるものとはなっていない。
【０００４】
本発明はこのような従来の問題点に着目してなされたものであり、フェンス面に、多数の印象的な模様を簡単に分散配設でき、その模様の多様化も容易で、軽量化が可能な多模様メッシュフェンス並びにその製造方法を提供することを目的とする。
【課題を解決するための手段】
【０００５】
上記目的を達成するために、本発明による多模様メッシュフェンスは多数の縦線材と横線材とを網の目状に組み合せ、平面状に配置して結合する。そして、上記縦線材の少なくとも一部として、線材の長さ方向に沿って多数の屈曲箇所を分散配設した屈曲箇所付き縦線材を多数用い、又横線材の少なくとも一部として、同様の屈曲箇所付き横線材を多数用いて、フェンス面に、隣接する２本の屈曲箇所付き縦線材と隣接する２本の屈曲箇所付き横線材とが井型状に交差する井型交差箇所を多数分散配設し、更にそれ等の井型交差箇所から選択した多数の各井型交差箇所に、その井型交差箇所を形成する４本の各縦、横線材に設けた屈曲箇所を少なくとも一箇所ずつ選んで配置し、少なくとも４屈曲箇所を含む模様を形成して、多数の模様を分散配設する。
【０００６】
又、上記多模様メッシュフェンスの製造方法として、多数の屈曲箇所付き縦線材と屈曲箇所付き横線材とを網の目状に組み合せ、平面状に配置する際、模様を変えるために、それ等の屈曲箇所付き縦、横線材から縦線材を選択する場合にはその縦線材は縦方向に移動し、又横線材を選択する場合にはその横線材は横方向に移動して、隣接する２本の屈曲箇所付き縦線材と隣接する２本の屈曲箇所付き横線材との少なくとも４屈曲箇所を有する各井型交差箇所の少なくとも１屈曲箇所の位置を移動するという工程を踏む。
【発明の効果】
【０００７】
本発明の多模様メッシュフェンスはフェンス面に多数の井型交差箇所を分散配設し、更にそれ等の井型交差箇所から選んだ多数の各井型交差箇所に、その井型交差箇所を形成する４本の各縦、横線材に設けた屈曲箇所を少なくとも一箇所ずつ選んで配置することにより、フェンス面に分散配置した多数の各井型交差箇所に、少なくとも４屈曲箇所を含む模様を簡単に形成できる。それ故、縦、横線材に設ける屈曲箇所の曲げ状態を、例えばＶ字状、Ｕ字状、半円状、角形状、台形状、その他更に複雑な種々の形状にし、それ等を選んで組み合せる等して、フェンス面に多数の印象的な模様を分散配設でき、その模様の多様化を容易に行える。
【０００８】
しかも、屈曲箇所付き線材は直線材と比べて屈曲箇所を設けることにより、屈曲箇所を多くする程、強度が大きくなる。それ故、メッシュフェンスに多数の屈曲箇所付き縦、横線材を分散配設して用いると、フェンスを構成する縦、横線材数を減少して、フェンスを軽量化できる。
【０００９】
又、上記多模様メッシュフェンスの製造方法として、フェンス面に分散配設する多数の屈曲箇所付き縦、横線材を模様を変えるために、縦線材を選択する場合には、その縦線材は縦の一方向又は反対方向に移動し、横線材を選択する場合には横線材を横の一方向又は反対方向に移動して、各井型交差箇所を形成する少なくとも１屈曲箇所の位置を縦の一方向又は反対方向、或いは横の一方向又は反対方向に移動する。それ故、屈曲箇所付き縦、横線材の移動により、井型交差箇所に少なくとも４屈曲箇所ある各屈曲箇所の位置を適宜変え、模様の多様化を容易に行える。
【発明を実施するための最良の形態】
【００１０】
以下、添付の図１〜１３を参照して、本発明の実施の最良形態を説明する。
図１は本発明の第１実施形態による多数のＶ字状屈曲箇所付き縦、横線材からなる多模様メッシュフェンスの正面図、図２はその左側面図である。この多模様メッシュフェンス１は縦線材として、同一長さの２本の直縦線材２（２ａ、２ｂ）と２６本の屈曲箇所付き縦線材３（３ａ、…３ｚ）とを用い、横線材として、同一長さの８本の直横線材４（４ａ…、４ｈ）と１０本の屈曲箇所付き横線材５（５ａ、…５ｊ）とを用いる。そして、屈曲箇所付き縦線材３には、図３に示すように線材３の長さ方向に沿って、多数例えば５個の同一Ｖ字状の屈曲箇所６（６ａ、…６ｅ）を、１０ｃｍの所定間隔を置いて順次設けて分散配設する。なお、直縦線材２と屈曲箇所付き縦線材３はいずれもその両端部をビーム部材として用いる。
【００１１】
又、屈曲箇所付き横線材５には、図４に示すように線材５の長さ方向に沿って、多数例えば１３個の同一Ｖ字状の屈曲箇所７（７ａ、…７ｍ）を、１０ｃｍの所定間隔を置いて順次設けて分散配置する。なお、直横線材４はいずれもビーム部材にする。
【００１２】
組立時、スポット溶接機を備えたメッシュ形成用溶接台上に、先ず２本の直縦線材２を夫々左右の両端に１本ずつ配置し、その間に２６本の屈曲箇所６付き縦線材３を夫々平行に並べて分散配置する。その際、２６本の屈曲箇所６付き縦線材３を２本ずつ隣接するもの同士を対にして１３組に分け、その各組毎に、両縦線材３に設けた５個の屈曲箇所６の突出方向を反対に向けて対峙させ、その対応するＶ字状線部の先端同士を夫々接近させて配置する。
【００１３】
又、各組を形成する隣接する２本の屈曲箇所６付き縦線材３の間隔を、いずれも等しく例えば１０ｃｍにするのに対し、隣接する組同士の隣接する２本の屈曲箇所６付き縦線材３の間隔を、いずれも等しく例えば５ｃｍにする。すると、溶接台のほぼ水平な面上に縦線材２、３を分散して長方形状に配置できる。なお、前後の両端部にはビーム部材として、更に１３本ずつ短い直縦線材８を用い、その直縦線材８を１本ずつ各組を形成する隣接する２本の屈曲箇所６付き縦線材３の中間に分散配置する。
【００１４】
次に、その長方形状に分散配置した縦線材２、３、８の上に、８本の直横線材４を前後の両端部に４本ずつ、互いに少し離して平行に並べて分散配置し、その間に１０本の屈曲箇所７付き横線材５を夫々平行に並べて分散配置する。その際、１０本の屈曲箇所７付き横線材５を２本ずつ隣接するもの同士を対にして５組に分け、その各組毎に、両横線材５に設けた１３個の屈曲箇所７の突出方向を反対に向けて対峙させ、その対応するＶ字状線部の先端同士を夫々接近させて配置する。又、各組を形成する隣接する２本の屈曲箇所７付き横線材５の間隔を、いずれも等しく例えば１０ｃｍにするのに対し、隣接する組同士の隣接する２本の屈曲箇所７付き横線材５の間隔を、いずれも等しく例えば５ｃｍにする。
【００１５】
すると、多数の縦線材２、３、８と横線材４、５とをいずれも直交させて、格子状の網の目状に組み合せ、長方形平面状に配置することができる。そこで、各交点を全てスポット溶接により結合し、メッシュを形成する。又、そのメッシュの前後端部をプレスにより半円状に屈曲させてビーム部９（９ａ、９ｂ）を夫々形成する。その後、全体に塗装を施すと、メッシュフェンス（フェンスの本体部）１が完成する。なお、このメッシュフェンス１は規格のＴ−１０に該当するものであり、縦の長さを９２０ｍｍ、横の長さを１９９６ｍｍにする。
【００１６】
このようにして、メッシュフェンス１を構成すると、フェンス面のほぼ全面に、隣接する２本の屈曲箇所６付き縦線材３と隣接する２本の屈曲箇所７付き横線材５とが、井型状に交差する井型交差箇所を２５行９列の格子状に配設して多数分散することができる。そして、それ等の井型交差箇所から選択した１３行５列からなる多数の各井型交差箇所に、図５に示すような４本の縦、横線材３ｅ、３ｆ、５ｉ，５ｊに設けた屈曲箇所６ｅ、６ｅ、７ｃ、７ｃを、一辺の長さがほぼ１０ｃｍの略正方形状の各辺の中央部に一箇所ずつ配置して、その４屈曲箇所６、７のＶ字状線部を含む太い十字状の模様１０を夫々簡単に形成し、フェンス面のほぼ全面に多数の印象的な十字状模様１０を分散配設することができる。
【００１７】
しかも、屈曲箇所付き線材は直線材と比べて屈曲箇所を設けることにより、屈曲箇所数を多くする程、強度が大きくなる。それ故、メッシュフェンスに多数の屈曲箇所付き縦、横線材を分散配設して用いると、フェンスを構成する縦、横線材数を減少してフェンスを軽量化できる。そこで、従来のメッシュフェンスでは長い直縦線材を５ｃｍ毎に配設していたのに対し、メッシュフェンス１では屈曲箇所６付き縦線材３を１０ｃｍ毎に配設する。但し、前後の各ビーム部９には短い直縦線材８を加えて配設することによって、縦線材を５ｃｍ毎に配設する。
【００１８】
図６は本発明の第２実施形態による多数のＶ字状屈曲箇所付き縦、横線材からなる多模様メッシュフェンスの正面図である。この多模様メッシュフェンス１１は第１実施形態による多模様メッシュフェンス１とほぼ同一種類の線材を用いて格子状の網の目状に組み合せ、長方形平面状に配置して結合し、多模様を分散配設した構造にする。但し、フェンス面に分散配設する多数の各模様の形状を変える。そこで、対応する部分に同一符号を記し、以下に相違点を説明する。
【００１９】
メッシュフェンス１ではフェンス面に多数分散配設した隣接する２本のＶ字状屈曲箇所６付き縦線材３と隣接する２本のＶ字状屈曲箇所７付き横線材５とが井型状に交差する井型交差箇所に、図５に示すように４本の縦、横線材３、５に設けた屈曲箇所６、７を一箇所ずつ選んで配置する際、その各屈曲箇所６、７をいずれも各辺の中央部に配置して、その４屈曲箇所６、７のＶ字状線部を含む十字状模様１０を形成するのに対し、メッシュフェンス１１では図７に示すように各屈曲箇所６、７をいずれも各辺の片側半分に配置して、その４屈曲箇所６、７のＶ字状線部を含む変形した十字状模様１０を形成する。
【００２０】
そのために、メッシュフェンス１１では同一長さの２６本のＶ字状屈曲箇所６付き縦線材３と、同一長さの１０本のＶ字状屈曲箇所７付き横線材５とを格子状の網の目状に組み合せ、長方形平面状に配置する際に、メッシュフェンス１の場合を基準にして、各組毎に隣接する２本のＶ字状屈曲箇所６付き縦線材３の左側にある縦線材３を後方向に、又右側にある縦線材３を前方向に夫々２．５ｃｍ移動し、更に各組毎に隣接する２本のＶ字状屈曲箇所７付き横線材５の後側にある横線材５を右方向に、又前側にある横線材５を左方向に夫々２．５ｃｍ移動する。それ故、フェンス面に分散配設した井型交差箇所にある４屈曲箇所６、７の各位置を全て時計方向に移動し、十字状模様１０の形状を簡単に変えることができる。
【００２１】
図８は本発明の第３実施形態による多数のＶ字状屈曲箇所付き縦、横線材からなる多模様メッシュフェンスの正面図である。この多模様メッシュフェンス１２は第１実施形態による多模様メッシュフェンス１とほぼ同一種類の線材を用いて、格子状の網の目状に組み合せ、長方形平面状に配置して結合し、多模様を分散配設した構造にする。但し、メッシュフェンス１よりフェンス面に分散配設する多模様の分布密度を低くしてシンプルにする。そこで、メッシュフェンス１２につきメッシュフェンス１と対応する部分に同一符号を記して、以下に相違点を説明する。
【００２２】
メッシュフェンス１では長い縦線材として、同一長さの２本の直縦線材２と２６本の屈曲箇所６付き縦線材３とを用い、その各屈曲箇所６付き縦線材３に１０ｃｍの間隔を置いて５個のＶ字状屈曲箇所６を順次設けて分散配置し、横線材として同一長さの８本の直横線材４と１０本の屈曲箇所７付き横線材５とを用い、その各屈曲箇所７付き横線材５に１０ｃｍの間隔を置いて１３個のＶ字状屈曲箇所７を順次設けて分散配置するのに対し、メッシュフェンス１２では長い縦線材として、同一長さの１１本の直縦線材２（２ａ、…２ｋ）と２０本の屈曲箇所６付き縦線材３（３ａ、…３ｔ）とを用い、その各屈曲箇所６付き縦線材３に１２．５ｃｍの間隔を置いて４個のＶ字状屈曲箇所６を順次設けて分散配置し、横線材として同一長さの８本の直横線材４と８本の屈曲箇所７付き横線材５（５ａ、…５ｈ）を用い、その各屈曲箇所７付き横線材５に１５ｃｍの間隔を置いて１０個のＶ字状屈曲箇所７を順次設けて分散配置する。
【００２３】
そして、メッシュフェンス１２では同一長さの９本の直縦線材２及び２０本の屈曲箇所６付き縦線材３と、同一長さの８本の屈曲箇所７付き横線材５とを格子状の網の目状に組み合せ、長方形平面状に配置する際に、隣接する２本の屈曲箇所６付き縦線材３からなる１０組の夫々隣接する２組の中間に９本の直縦線材２を１本ずつ夫々分散配置する。それ故、フェンス面に多数の十字状模様１０を１０行４列に分散配設して、その分布密度を低くすることができる。
【００２４】
図９は本発明の第４実施形態による多数の半円状屈曲箇所付き縦、横線材からなる多模様メッシュフェンスの正面図である。この多模様メッシュフェンス１３は第１実施形態による多模様メッシュフェンス１とほぼ同一種類の線材を用いて、格子状の網の目状に組み合せ、長方形平面状に配置して結合し、多模様を分散配設した構造にする。但し、メッシュフェンス１３では、２６本の屈曲箇所６付き縦線材３と１０本の屈曲箇所７付き横線材５の各屈曲箇所６、７の形状をいずれも半円状にする。すると、メッシュフェンス１３にメッシュフェンス１と同様にして、１３行５列からなる多数の井型交差箇所を設け、その各井型交差箇所に縦、横線材３、５に設けた屈曲箇所６、７を１箇所ずつ各辺の中央部に配置して、その４屈曲箇所６、７の半円状線部を含む太い十字状の模様１０を形成し、フェンス面のほぼ全面に分散配設することができる。なお、対応する部分に同一符号を記す。
【００２５】
図１０は本発明の第５実施形態による多数の半円状屈曲箇所付き縦、横線材からなる多模様メッシュフェンスの正面図である。この多模様メッシュフェンス１４は第４実施形態による多模様メッシュフェンス１３とほぼ同一種類の線材を用いて、格子状の網の目状に組み合せ、長方形平面状に配置して結合し、多模様を分散配設した構造にする。但し、メッシュフェンス１４では、２６本のＶ字状屈曲箇所６付き縦線材３と１０本のＶ字状屈曲箇所７付き横線材５とを格子状の網の目状に組み合せ、長方形平面状に配置する際に、メッシュフェンス１３の場合を基準にして、各組毎に隣接する２本の半円状屈曲箇所６付き縦線材３の左側にある縦線材３を後方向に、又右側にある縦線材３を前方向に夫々２．５ｃｍ移動し、更に隣接する２本の半円状屈曲箇所７付き横線材５の後側にある横線材５を右方向に、又前側にある横線材５を左方向に夫々２．５ｃｍ移動する。それ故、フェンス面に分散配設した井型交差箇所にある４屈曲箇所６、７の各位置を全て時計方向に移動し、十字状模様１０の形状を簡単に変えることができる。なお、対応する部分に同一符号を記す。
【００２６】
図１１は本発明の第６実施形態による多数の半円状屈曲箇所付き縦、横線材からなる多模様メッシュフェンスの正面図である。この多模様メッシュフェンス１５は第４実施形態による多模様メッシュフェンス１３とほぼ同一種類の線材を用いて、格子状の網の目状に組み合せ、長方形平面状に配置して結合し、多模様を分散配設した構造にする。但し、メッシュフェンス１５ではメッシュフェンス１３と比べ、２６本の屈曲箇所６付き縦線材３と１０本の屈曲箇所７付き横線材５の各屈曲箇所６、７に設ける半円の径を、いずれも２倍にする。すると、メッシュフェンス１５にメッシュフェンス１３と同様にして、１３行５列からなる多数の井型交差箇所を設け、その各井型交差箇所に縦、横線材３、５に設けた屈曲箇所６、７を１箇所ずつ配置して、その４屈曲箇所６、７の半円状線部を含む太い十字状の模様１０を形成し、フェンス面のほぼ全面に分散配設することができる。なお、メッシュフェンス１３と対応する部分に同一符号を記す。
【００２７】
図１２は本発明の第７実施形態による多数の半円状屈曲箇所付き縦、横線材からなる多模様メッシュフェンスの正面図である。この多模様メッシュフェンス１６は第６実施形態による多模様メッシュフェンス１５とほぼ同一種類の線材を用いて、格子状の網の目状に組み合せ、長方形平面状に配置して結合し、多模様を分散配設した構造にする。但し、メッシュフェンス１５よりフェンス面に分散配設する多模様の分布密度を低くしてシンプルにする。
【００２８】
そこで、メッシュフェンス１５と対応する部分に同一符号を記して、相違点を説明すると、メッシュフェンス１６では長い縦線材として、同一長さの１１本の直縦線材２（２ａ、…２ｋ）と２０本の屈曲箇所６付き縦線材３（３ａ、…３ｔ）とを用い、その各屈曲箇所６付き縦線材３に７．５ｃｍの間隔を置いて３個の半円状屈曲箇所６を順次設けて分散配置し、横線材として同一長さの８本の直横線材４と６本の屈曲箇所７付き横線材５（５ａ、…５ｈ）を用い、その各屈曲箇所７付き横線材５に１０ｃｍの間隔を置いて１０個の半円状屈曲箇所７を順次設けて分散配設する。
【００２９】
そして、メッシュフェンス１６では同一長さの９本の直縦線材２及び２０本の屈曲箇所６付き縦線材３と、同一長さの６本の屈曲箇所７付き横線材５とを格子状の網の目状に組み合せ、長方形平面状に配置する際に、隣接する２本の屈曲箇所６付き縦線材３からなる１０組の夫々隣接する２組の中間に９本の直縦線材２を１本ずつ分散配置する。それ故、フェンス面に多数の十字状模様１０を１０行３列に分散配設して、その分布密度を低くすることができる。なお、メッシュフェンス１５は規格Ｔ−１０の寸法にして、縦の長さを９２０ｍｍにしたが、メッシュフェンス１６は規格Ｔ−８の寸法にして、縦の長さを７２０ｍｍにする。但し、両メッシュフェンス１５、１６の横の長さは等しく、１９９６ｍｍにする。因みに、縦の長さを規格Ｔ−６では５４０ｍｍ、Ｔ−１２では１１２０ｍｍにするが、横の長さは他の規格のものと等しくする。
【００３０】
上記第１〜第７実施形態では、屈曲箇所６付き縦線材３と屈曲箇所７付き横線材５とに設ける屈曲箇所６、７の曲げ状態を、Ｖ字状、半円状等にする場合について説明したが、Ｕ字状、角形状、台形状その他更に複雑な種々の形状にし、それ等を選んで組み合せる等して、フェンス面に多数の印象的な模様を分散配設し、模様の多様化を容易に行うことができる。その際、井型交差箇所に４本の縦、横線材に設けた屈曲箇所を一箇所ずつ配置して、例えば図１３に示すように２個の屈曲箇所６のＶ字状線部を夫々内方に突出させ、２個の屈曲箇所７の半円状線部を夫々外方に突出させる等、井型交差箇所に配置する４屈曲箇所の各線部の突出方向を適宜選択することができる。なお、縦、横線材に設ける屈曲箇所数を増やすことにより、井型交差箇所に配置する屈曲箇所の数を５個以上にすることもできる。
【００３１】
又、上記第２、第５実施形態では、メッシュフェンス１、１３を基準にして、各組毎に隣接する２本の屈曲箇所６付き縦線材３の左側にある縦線材３を後方向に、又右側にある縦線材３を前方向に夫々移動し、更に各組毎に隣接する２本の屈曲箇所７付き横線材５の後側にある横線材５を右方向に、又前側にある横線材５を左方向に夫々移動する場合について説明したが、各組毎に屈曲箇所６付き縦線材３又は屈曲箇所７付き横線材５を１本、一方向に移動するだけで、井型交差箇所を構成する４屈曲箇所６、７の１屈曲箇所６又は７の位置を移動することにより模様を変えることができる。それ故、各組毎に２本の屈曲箇所６付き縦線材３と２本の屈曲箇所７付き横線材５を個別に任意に移動し、各井型交差箇所にある４屈曲箇所６、７の各位置を任意に移動して変え、模様を容易に多様化できる。
【図面の簡単な説明】
【００３２】
【図１】本発明の第１実施形態による多数のＶ字状屈曲箇所付き縦、横線材からなる多模様メッシュフェンスの正面図である。
【図２】同多模様メッシュフェンスの左側面図である。
【図３】同多模様メッシュフェンスに用いるＶ字状屈曲箇所付き縦線材の正面図である。
【図４】同多模様メッシュフェンスに用いるＶ字状屈曲箇所付き横線材の正面図である。
【図５】同多模様メッシュフェンスのフェンス面に分散配設する４屈曲箇所を有する井型交差箇所の正面図である。
【００３３】
【図６】本発明の第２実施形態による多数のＶ字状屈曲箇所付き縦、横線材からなる多模様メッシュフェンスの正面図である。
【図７】同多模様メッシュフェンスのフェンス面に分散配設する４屈曲箇所を有する井型交差箇所の正面図である。
【図８】本発明の第３実施形態による多数のＶ字状屈曲箇所付き縦、横線材からなる多模様メッシュフェンスの正面図である。
【図９】本発明の第４実施形態による多数の半円状屈曲箇所付き縦、横線材からなる多模様メッシュフェンスの正面図である。
【図１０】本発明の第５実施形態による多数の半円状屈曲箇所付き縦、横線材からなる多模様メッシュフェンスの正面図である。
【００３４】
【図１１】本発明の第６実施形態による多数の半円状屈曲箇所付き縦、横線材からなる多模様メッシュフェンスの正面図である。
【図１２】本発明の第７実施形態による多数の半円状屈曲箇所付き縦、横線材からなる多模様メッシュフェンスの正面図である。
【図１３】本発明の他の実施形態による多模様メッシュフェンスのフェンス面に分散配設する４屈曲箇所を有する井型交差箇所の例を示す正面図である。
【符号の説明】
【００３５】
１、１１、１２、１３、１４、１５、１６…多模様メッシュフェンス  ２、８…長、短直縦線材  ３…屈曲箇所付き縦線材  ４…直横線材  ５…屈曲箇所付き横線材  ６、７…屈曲箇所  ９…ビーム部  １０…模様
【図１】
2006274532.tif 000003
【図２】
2006274532.tif 000004
【図３】
2006274532.tif 000005
【図４】
2006274532.tif 000006
【図５】
2006274532.tif 000007
【図６】
2006274532.tif 000008
【図７】
2006274532.tif 000009
【図８】
2006274532.tif 000010
【図９】
2006274532.tif 000011
【図１０】
2006274532.tif 000012
【図１１】
2006274532.tif 000013
【図１２】
2006274532.tif 000014
【図１３】
2006274532.tif 000015